(57)【特許請求の範囲】
【請求項１】
天壁部（２）と、該天壁部（２）の周縁部から下方に延びる周壁部（３）とを備えて透明乃至半透明の樹脂により一体成形され、該周壁部（３）の上部は、形状を保持しつつ人が指で把持可能な剛性を有しており、周壁部（３）の下端縁を人の眼の周囲に密着させて使用する洗眼用アイカップであって、
前記周壁部（３）の下部（３ｂ）は、可撓性を有するように上部（３ａ）に比して薄肉に形成されていることを特徴とする洗眼用アイカップ。
【請求項２】
周壁部（３）は、下部側にしたがって外方に拡がるフレア状を呈していることを特徴とする請求項１に記載の洗眼用アイカップ。
【請求項３】
周壁部（３）の少なくとも下部（３ｂ）は、その水平方向断面が左右方向に長い楕円形状若しくは卵形状を呈しているとともに、周壁部（３）の前後方向の側部は上下方向全長にわたって略垂直に形成されていることを特徴とする請求項２に記載の洗眼用アイカップ。
【請求項４】
周壁部（３）の下端縁にカール部（７）が形成されていることを特徴とする請求項１，２又は３に記載の洗眼用アイカップ。
【請求項５】
天壁部（２）と、該天壁部（２）の周縁部から下方に延びる周壁部（３）とを備えて透明乃至半透明の樹脂により一体成形され、周壁部（３）の下端縁は滑らかな曲線状を呈しており、該周壁部（３）の下端縁を人の眼の周囲に密着させて使用する洗眼用アイカップであって、
前記周壁部（３）は、天壁部（２）の周縁部から下方に延びる第１の周壁部（３ａ）と、該第１の周壁部（３ａ）の下部に連設された第２の周壁部（３ｂ）と、第１周壁部（３ａ）と第２周壁部（３ｂ）との間に設けられた段部（８）とを備え、前記第１周壁部（３ａ）は、形状を保持しつつ人が指で把持可能な剛性を有しており、前記段部（８）は、可撓性を有するように薄肉に形成されており、該段部（８）の変形に伴って第２周壁部（３ｂ）が眼の周囲の顔面形状に沿うように変形することを特徴とする洗眼用アイカップ。
【請求項６】
第２の周壁部（３ｂ）は、その水平方向断面が左右方向に長い楕円形状若しくは卵形状を呈しているとともに、その左右側部の上下方向長さが異なっており、前記段部（８）は、周壁部（３）の左右側部の一方側のみに設けられていることを特徴とする請求項５に記載の洗眼用アイカップ。
【請求項７】
前記段部（８）は、周壁部（３）の周方向全周にわたる環状を呈していることを特徴とする請求項５に記載の洗眼用アイカップ。
【発明の詳細な説明】
【０００１】
【発明の属する技術分野】
本発明は、洗眼液を内部に収容した状態で眼の周囲に押し当てて眼の洗浄を行うための洗眼用アイカップに関する。
【０００２】
【従来の技術】
近年、コンタクトレンズの使用後や、水泳や外出の後などに、眼の洗浄を行うための洗眼剤が市販されている。この洗眼剤は、抗炎症剤、抗ヒスタミン剤や保護剤などを溶解した薬液であって、ボトルに充填されて市販され、このボトルには、適量の薬液を収容して図１６に示すように眼の洗浄を行うための洗眼用アイカップがボトル口部のキャップとして装着されている。
【０００３】
この従来の洗眼用アイカップは、洗眼剤が収容されたボトルの口部に装着して市販することが可能なものであって、天壁部と、該天壁部の周縁から下方に延びる周壁部とが合成樹脂等により一体成形されている。そして、眼の周囲に液密状に容易に密着し得るように、周壁部の下端縁は、正面視略円弧状に湾曲されている。
【０００４】
【発明が解決しようとする課題】
しかし、従来の洗眼用アイカップの周壁部は全体的に厚肉であり、眼の周囲に押し当てたときの密着感が良好なものではなかった。
【０００５】
そこで、本発明は、洗眼用アイカップの使用時の密着感を向上することを目的とする。
【０００６】
【課題を解決するための手段】
本発明は、上記目的を達成するために、次の技術的手段を講じた。
【０００７】
即ち、本発明は、天壁部と、該天壁部の周縁部から下方に延びる周壁部とを備え、該周壁部の上部は、形状を保持しつつ人が指で把持可能な剛性を有しており、周壁部の下端縁を人の眼の周囲に密着させて使用する洗眼用アイカップであって、前記周壁部の下部は、可撓性を有するように上部に比して薄肉に形成されていることを特徴とするものである。なお、周壁部の下端縁は滑らかな曲線状を呈するように形成し、人の顔面形状に合致するようにする。
【０００８】
かかる本発明の洗眼用アイカップによれば、把持する部分の剛性を確保しながらも、眼の周囲に当接する周壁部の下部に可撓性を持たせたので、眼の周囲の顔面形状に沿って周壁部下縁が容易に屈撓し、皮膚との接触面積も大きくなって、密着感が向上する。更に、軽い力でアイカップを目に押し当てたときでも洗眼剤の漏れが少なくなる。
【０００９】
より好ましくは、上記本発明のアイカップにおいて、その周壁部は、下部側にしたがって外方に拡がるフレア状を呈しているものとする。かかる構成によれば、周壁部の内周面が皮膚に当接するようになり、より一層の密着感の向上と、液剤の漏れ防止とが図られるようになる。
【００１０】
さらに、上記周壁部の少なくとも下部は、その水平方向断面が左右方向に長い楕円形状若しくは卵形状を呈しているとともに、周壁部の前後方向の側部は上下方向全長にわたって略垂直に形成されているものとすることができる。これによれば、基本的形態としては周壁部をフレア形状としつつ、眼の上下部分に相当する周壁部の前後側部は略垂直に構成されているので、かかる眼の上下部分では周壁部の変形を小さくし、眼の左右部分に相当する周壁部の左右側部（かかる部分の顔面形状は個人差が比較的大きい）では周壁部が大きく変形する。このように、眼の左右側部に押し当てられる部分に易変形部分を限定することにより、人の顔面形状の個人差に的確に対応しつつ、周壁部の下端が拡がりすぎることを防止し得る。
【００１１】
上記周壁部の下端縁にカール部を形成することができる。これによれば、皮膚に当接される周壁部の下端縁が径の小さい円弧状となるので、アイカップを強く押し当てても痛みがないとともに、皮膚に跡が残ることも少ない。
【００１２】
また、本発明は、天壁部と、該天壁部の周縁部から下方に延びる周壁部とを備え、周壁部の下端縁は滑らかな曲線状を呈しており、該周壁部の下端縁を人の眼の周囲に密着させて使用する洗眼用アイカップであって、前記周壁部は、天壁部の周縁部から下方に延びる第１の周壁部と、該第１の周壁部の下部に連設された第２の周壁部と、第１周壁部と第２周壁部との間に設けられた段部とを備え、前記第１周壁部は、形状を保持しつつ人が指で把持可能な剛性を有しており、前記段部は、可撓性を有するように薄肉に形成されていることを特徴とするものである。
【００１３】
かかる本発明によれば、上部側の第１周壁部は剛性を有しているので、使用時に把持し易いとともに、洗眼剤を収容するボトルの口部への装着性が良好である。一方、第１周壁部と第２周壁部との間に設けられた段部は可撓性を有するから、第１周壁部を把持して、第２周壁部の下端縁を眼の周囲に押し当てると、段部が変形するとともに、これに伴って第２周壁部が変形し、眼の周囲の顔面形状に沿うようになるから、密着性が向上する。かかる第２周壁部の変形態様は、第１周壁部がさほど変形しないから、アイカップに加える押圧力に応じてほぼ一義的なものとなり、使用者が自己の顔面形状に沿うように容易に押圧力を調整して段部を的確に変形させることが可能である。
【００１４】
また、かかるアイカップにおいて、第２の周壁部は、その水平方向断面が左右方向に長い楕円形状若しくは卵形状を呈しているとともに、その左右側部の上下方向長さが異なっており、前記段部は、第２周壁部の左右側部の一方側のみに設けられているものとすることができる。
【００１５】
さらに、段部は、周壁部の周方向全周にわたる環状を呈しているものとすることができる。これによれば、第１周壁部に対する第２周壁部の角度並びに第２周壁部の変形態様の自由度を大きくすることができる。
【００１６】
【発明の実施の形態】
以下、本発明の実施の形態を図面に基づいて説明する。
【００１７】
図１〜図３は本発明の第１実施形態に係る洗眼用アイカップ１を示している。このアイカップ１は、例えば射出成形法によって透明乃至半透明の樹脂により一体成形されており、円板状の天壁部２と、該天壁部２の周縁から下方に延設された筒状の周壁部３とを備えている。このアイカップ１は、天地逆転して内部に適量の洗眼剤を入れ、人が顔を下に向けて周壁部３の下端縁（この状況では実際には上端）を人の眼の周囲に密着させ、この状態で人が上を向いて洗眼剤によって眼の洗浄を行うために使用される。なお、天壁部２の上面には、リング状の台座部４が一体成形されており、カップ１を天地逆転して机上に載置したときの安定性を向上している。
【００１８】
周壁部３の上部側は円筒状を呈しており、この円筒状部３ａは、形状を保持しつつ人が指で把持可能な剛性を有する程度の肉厚（例えば、３ｍｍ程度）に形成されている。
【００１９】
また、周壁部３の下部側３ｂは、上部側の円筒状部３ａに比して薄肉（例えば１ｍｍ程度）に形成されており、適度の可撓性を有するようにしてある。この周壁部３の下部３ｂは、水平方向断面が左右方向に長い卵形状を呈している。周壁部３の下部３ｂの左右方向の径は、上部３ａの左右方向の径よりも大きく、したがって、周壁部３の左右側部において上部３ａと下部３ｂとの間には段部５が形成されている。一方、周壁部３の上部３ａの前後方向の径と、周壁部３の下部３ｂの前後方向の径とは一致しており、したがって、周壁部３の前後方向側部は上下方向全長にわたって略垂直に構成されている。
【００２０】
また、上記周壁部３は、下部側にしたがって外方に拡がるフレア状を呈している。かかるフレア形状の形態は適宜設計することができ、周方向全周にわたって末拡がり状に構成することもできるが、図示実施例では、周壁部下部３ｂを下部側にしたがって左右外側方に拡がる形態を示している。周壁部３の下端縁は、人の眼の周囲の顔面形状にほぼ沿うように、左右中央側が上方に湾曲する滑らかな曲線形状に形成されている。
【００２１】
なお、周壁部３の内周面上端には、周方向４箇所に天壁部２の下面にわたるリブ６が形成されており、洗眼剤ボトルの口部に装着したときの安定性を向上するとともに、周壁部上部の剛性の向上を図っている。
【００２２】
図４〜図６は本発明の第２実施形態に係る洗眼用アイカップ１を示しており、上記第１実施形態と同様の構成については同符号を付して詳細説明を省略し、異なる構成、作用効果について以下説明する。
【００２３】
本実施形態のアイカップ１では、周壁部３の下端縁に、全周にわたってカール部７が形成されている。このカール部７は、周壁部３の下端縁が径外方かつ上方に小さく折り返した形状を呈しており、これによって、周壁部３の下部側の肉厚を薄肉としつつ、使用時に皮膚に押圧される周壁部３下端縁の接触面積を大きくし、使用感を向上している。
【００２４】
図７〜図９は本発明の第３実施形態に係る洗眼用アイカップ１を示しており、上記第１実施形態と同様の構成については同符号を付して詳細説明を省略し、異なる構成、作用効果について説明する。
【００２５】
本実施形態のアイカップ１では、周壁部３は、天壁部２の周縁部から下方に延びる第１の周壁部３ａ（周壁部３の上部）と、該第１の周壁部３ａの下部に連設された第２の周壁部３ｂ（周壁部３の下部）と、第１周壁部３ａと第２周壁部３ｂとの間に設けられた段部８とを備え、前記第１周壁部３ａは、形状を保持しつつ人が指で把持可能な剛性を有しており、上記段部８は、可撓性を有するように薄肉に形成されている。
【００２６】
また、第２周壁部３ｂは、左右内端側（正面視において図示右側）の上下方向長さが、左右外端（正面視において図示左側）の上下方向長さよりも短く形成されている。なお、本実施形態の周壁部下部３ｂは、上記第１実施形態とは異なり、フレア形状には形成されていない。
【００２７】
本実施形態の段部８は、周壁部３の左右側部の一方側（第２周壁部３ｂの左右内端側）のみに設けられている。また、図８に示すように、段部８は、第１周壁部３ａの下端部から左右外方かつ若干上方に延設され、この段部８の外端に第２周壁部３ｂが接続されている。この段部８は、周壁部３の左右内端から左右中央部にわたって形成されているとともに、左右中央側に至るほど段部８の幅が小さくなるように形成されている。
【００２８】
本実施形態のアイカップ１によれば、第１周壁部３ａを把持して第２周壁部３ｂの下端縁を眼の周囲に押し当てると、段部８が変形することで第１周壁部３ａに対して第２周壁部３ｂが傾斜する。即ち、第１周壁部３ａと第２周壁部３ｂとは、左右外端側（正面視において図示ではほぼ一体的に連設されているので、この左右外端側では第２周壁部３ｂは第１周壁部３ａに対してさほど上下動しないが、左右内端側は段部８の変形に伴って第１周壁部３ａに対して上下動するため、この第２周壁部３ｂは左右方向に広がるように変形し、周壁部３の下端縁形状も変動する。したがって、使用者が押圧力を適宜調節することによって、自己の顔面形状に密着する最適な状態に調整することが可能である。
【００２９】
図１０〜図１２は本発明の第４実施形態に係る洗眼用アイカップ１を示しており、上記第３実施形態と同様の構成については同符号を付して詳細説明を省略し、異なる構成、作用効果について説明する。
【００３０】
本実施形態では、第１周壁部３ａと第２周壁部３ｂとを接続する薄肉の段部８が、周壁部３の周方向全周にわたる環状に構成されている。この段部８は、周壁部３の左右側部（図１１における左右側部）においては、第１周壁部３ａの下端から左右外方かつ上方に延設されているが、周壁部３の前後側部（図１２における左右側部）においては略垂直に構成されている。したがって、周壁部３全体として、前後側部はほぼ垂直状である点は上記第１実施形態と同様である。
【００３１】
本実施形態によれば、第１周壁部３ａに対する第２周壁部３ｂの傾斜方向並びに傾斜角度の自由度が増し、より一層の使用性の向上を図ることが可能である。
【００３２】
図１３〜図１５は比較例に係る洗眼用アイカップ１１を示しており、このアイカップ１１は、例えば射出成形法によって透明乃至半透明の樹脂により一体成形されており、円板状の天壁部１２と、該天壁部１２の周縁から下方に延設された筒状の周壁部１３とを備えている。このアイカップ１１は、天地逆転して内部に適量の洗眼剤を入れ、人が顔を下に向けて周壁部１３の下端縁（この状況では実際には上端）を人の眼の周囲に密着させ、この状態で人が上を向いて洗眼剤によって眼の洗浄を行うために使用される。なお、天壁部１２の上面には、リング状の台座部１４が一体成形されており、カップ１１を天地逆転して机上に載置したときの安定性を向上している。
【００３３】
周壁部１３の上部側は円筒状を呈しており、下部側はスカート状に形成されている。なお、周壁部１３の左右一側部は二重壁構造に構成されている。
【００３４】
本比較例では、周壁部１３の肉厚を、全体的にほぼ均一なものとしている。したがって、使用時に本比較例に係るアイカップ１１を眼の周囲に押し当てても、上記各実施形態に係るアイカップ１に比して殆ど変形しなかった。
【００３５】
【発明の効果】
本発明によれば、周壁部の下端縁を眼の周囲に押し当てて、その押圧力を適宜調節することによって、周壁部の下端縁が使用者の目の周囲の顔面形状に沿った最適な形状に変形し、アイカップの密着性を向上することができる。また、本発明のアイカップは、その形状、構造が簡素であるから、一般的な成形技術によって容易に大量生産することが可能であり、コスト増を抑えることができる。
【図面の簡単な説明】
【図１】本発明の第１の実施の形態に係る洗眼用アイカップを示し、（ａ）は平面図、（ｂ）は左側面図、（ｃ）は正面図、（ｄ）は底面図である。
【図２】図１のＡ−Ａ線拡大断面図である。
【図３】図１のＢ−Ｂ線拡大断面図である。
【図４】本発明の第２の実施の形態に係る洗眼用アイカップを示し、（ａ）は平面図、（ｂ）は左側面図、（ｃ）は正面図、（ｄ）は底面図である。
【図５】図４のＣ−Ｃ線拡大断面図である。
【図６】図４のＤ−Ｄ線拡大断面図である。
【図７】本発明の第３の実施の形態に係る洗眼用アイカップを示し、（ａ）は平面図、（ｂ）は左側面図、（ｃ）は正面図、（ｄ）は底面図である。
【図８】図７のＥ−Ｅ線拡大断面図である。
【図９】図７のＦ−Ｆ線拡大断面図である。
【図１０】本発明の第４の実施の形態に係る洗眼用アイカップを示し、（ａ）は平面図、（ｂ）は左側面図、（ｃ）は正面図、（ｄ）は底面図である。
【図１１】図１０のＧ−Ｇ線拡大断面図である。
【図１２】図１０のＨ−Ｈ線拡大断面図である。
【図１３】比較例に係る洗眼用アイカップを示し、（ａ）は平面図、（ｂ）は左側面図、（ｃ）は正面図、（ｄ）は底面図である。
【図１４】図１３のＩ−Ｉ線拡大断面図である。
【図１５】図１３のＪ−Ｊ線拡大断面図である。
【図１６】従来のアイカップの使用状態を示す使用説明図である。
【符号の説明】
１  洗眼用アイカップ
２  天壁部
３  周壁部
３ａ  周壁部の上部（第１周壁部）
３ｂ  周壁部の下部（第２周壁部）
７  カール部
８  段部
【図１】
0004495807.tif 000002
【図２】
0004495807.tif 000003
【図３】
0004495807.tif 000004
【図４】
0004495807.tif 000005
【図５】
0004495807.tif 000006
【図６】
0004495807.tif 000007
【図７】
0004495807.tif 000008
【図８】
0004495807.tif 000009
【図９】
0004495807.tif 000010
【図１０】
0004495807.tif 000011
【図１１】
0004495807.tif 000012
【図１２】
0004495807.tif 000013
【図１３】
0004495807.tif 000014
【図１４】
0004495807.tif 000015
【図１５】
0004495807.tif 000016
【図１６】
0004495807.tif 000017